(57)【特許請求の範囲】
【請求項１】
建物の側壁の透明部分にデジタル・サイネージが設置されてなるデジタル・サイネージの取付け構造であって、
前記側壁の屋内側に設置される屋内側筐体と、該屋内側筐体に接合されている表示モニターと、を有する本体部と、
前記側壁の屋外側に設置される屋外側筐体と、を備え、
前記屋内側筐体及び前記屋外側筐体には、前記側壁を挟持する態様で該屋内側筐体と該屋外側筐体とを吸着する固定磁石が設置されていて、
前記固定磁石が、その表面が前記屋内側筐体及び前記屋外側筐体の表面と面一となるように、該屋内側筐体と該屋外側筐体に埋設されていて、前記表示モニターの表面が前記側壁の透明部分の屋内側の表面に密着した状態で固定されている、
デジタル・サイネージの取付け構造。
【請求項２】
前記表示モニターは、表示画面の対角線サイズが３０インチ以上であって重量が２ｋｇ以上である、
請求項１に記載のデジタル・サイネージの取付け構造。
【請求項３】
前記固定磁石が、電磁石又は１０ｋｇｆ以上の吸着力を発揮する永久磁石であって、前記表示モニターの重量が１０ｋｇ以上である、
請求項１又は２に記載のデジタル・サイネージの取付け構造。
【発明の詳細な説明】
【技術分野】
【０００１】
本発明は、デジタル・サイネージの取付け構造に関する。より詳しくは、本発明は、店舗や公共施設、交通機関、遊技場等の既設の建物の側壁に設置されて、店舗の外部に向けて、情報を発信する、デジタル・サイネージの取付け構造に関する。
【背景技術】
【０００２】
近年、「デジタル・サイネージ（Ｄｉｇｉｔａｌ  Ｓｉｇｎａｇｅ）」と呼ばれる表示装置が広く普及しつつある。「デジタル・サイネージ」とは、表示と通信にデジタル技術を活用して平面ディスプレイやプロジェクタ等により、映像や文字等の情報を表示する装置である。デジタル・サイネージは、従来の紙媒体に印刷した静止画を表示する表示手段と比較して、「静止画だけでなく動画も扱うことができる点」、及び、「状況に応じてリアルタイムで表示内容を最適化することができる点」等において、従来手段に対する優位性を発揮しうる情報表示手段である。
【０００３】
このデジタル・サイネージを設置する手段として、例えば、使用する状況に応じてデジタル・サイネージの取付け設置角度が選択可能な構造とされている組立て式のデジタル・サイネージ用スタンドが提案されている（特許文献１参照）。
【０００４】
しかしながら、上述のように、店舗の外部にいる視聴者に対して、例えば、ショーウインドーのガラス面等を間に挟んで情報を発信しようとする場合には、特許文献１に開示されているスタンドタイプの設置方式では、ガラス面超しにデジタル・サイネージの表示面を視聴する視聴者に対する良好な視認性を確保することは困難である。
【０００５】
そこで、上述のガラス面超しの視認性を、十分に良好な水準にまで向上させるためには、当該ガラス面の内側にデジタル・サイネージの表示面を密着させた状態で、デジタル・サイネージを設置する構造とすることが考えられる。
【０００６】
しかしながら、表示面をガラス面に密着させた状態でデジタル・サイネージを取付けるために、十分な設置強度を確保するために、通常、当該ガラス面への穴あけ加工を伴う螺子止め或いはピン留め等の取付け工事が必要となる。しかしながら、一度、ガラス面に取付け用の貫通孔が形成されてしまうと、その後のデジタル・サイネージの設置位置等の変更や、取付ける装置のサイズ変更が困難となる。又、この場合、上記の取付け用の貫通孔の位置の精度についてもやり直しや変更が効かない分、高い作業精度が求められるため、相応に取付け作業の難易度が高くなる。
【０００７】
取付け作業の難易度を低下させ、取付け後の設置位置等の変更の自由度を高めうる取付け手段として、例えば、タブレット型コンピュータで構成される小型のデジタル・サイネージを、吸盤付きのジャケットに挿入した状態でガラス板に設置する取付け手段が提案されている（特許文献２参照）。
【０００８】
ここで、デジタル・サイネージが上記のような小型の装置に限られる場合であれば、特許文献２に開示されているような一般的な吸盤によって、ガラス面に対するデジタル・サイネージの設置強度を必要な強度に維持することは可能である。しかしながら、例えば、広告表示装置として汎用的に普及する表示画面の対角線サイズが３０インチ〜１００インチ程度の中型〜大型のデジタル・サイネージとなると、通常、その重量は２ｋｇ〜数１０ｋｇ程度に達し、このような汎用サイズのデジタル・サイネージに対して、上記の吸盤による固定では、十分な設置強度を確保することは極めて困難である。
【０００９】
又、特許文献２に開示されている構造の設置手段の他の構造上の問題点として、上記設置手段による場合、少なくとも吸盤等の吸着部分の厚み分だけは、デジタル・サイネージの表示面が、ガラス面から乖離してしまうという問題もある。この場合、表示面がガラス面の内側に密着している場合と比較して、店舗外からの視認性が低下しやすいことは明らかである。
【００１０】
このように、従来の様々な取付け手段による限り、店舗等の側壁へのデジタル・サイネージの取付けにおいて、取付け時の作業容易性、取付け後の安定性と取付け位置等の変更の自由度、及び、店舗の外側からの視認性の全てを良好に保持することができる取付け手段が存在せず、取付け場所の設置条件、視聴条件等に応じて、取付け位置等の変更の自由度、或いは、作業容易性等の様々な要求うち、何れかの要求を犠牲にして、その他の必要な要求を満たしうるようにしているのが実情であった。
【先行技術文献】
【特許文献】
【００１１】
【特許文献１】実用新登録第３２１５１１２号
【特許文献２】特開２０１３−８８６３４号公報
【発明の概要】
【発明が解決しようとする課題】
【００１２】
本発明は、デジタル・サイネージの店舗の側壁への取付けにおいて、取付け時の作業容易性、取付け後の安定性と取付け位置等の変更の自由度、及び、店舗外からの視認性を、何れも良好な水準に保持することができるデジタル・サイネージの取付け手段を提供することを目的とする。
【課題を解決するための手段】
【００１３】
本発明は、以下の解決手段により、上述の課題を解決する。
【００１４】
（１）  建物の側壁の透明部分にデジタル・サイネージが設置されてなるデジタル・サイネージの取付け構造であって、前記側壁の屋内側に設置される屋内側筐体と、該屋内側筐体に接合されている表示モニターとを有する本体部と、前記側壁の屋外側に設置される屋外側筐体と、を備え、前記屋内側筐体及び前記屋外側筐体には、前記側壁を挟持する態様で該屋内側筐体と該屋外側筐体とを吸着する固定磁石が設置されている、
デジタル・サイネージの取付け構造。
【００１５】
（１）のデジタル・サイネージの取付け構造によれば、ガラス面等、建物の側壁の透明部分にデジタル・サイネージを取付ける場合において、取付け時の作業容易性、取付け後の安定性と取付け位置等の変更の自由度、及び、ガラス面等を通して視聴する場合の視認性を良好な水準に保持することができる。
【００１６】
（２）  前記固定磁石が、該屋内側筐体と該屋外側筐体に埋設されていて、前記表示モニターの表面が前記側壁に密着している、（１）に記載のデジタル・サイネージの取付け構造。
【００１７】
（２）のデジタル・サイネージの取付け構造によれば、（１）のデジタル・サイネージの取付け構造において、ガラス面等を通して視聴する場合の視認性を、更に良好な水準に向上させることができる。
【００１８】
（３）  建物の側壁にデジタル・サイネージが設置されてなるデジタル・サイネージの取付け構造であって、前記側壁の屋外側に設置される屋外側筐体と、該屋外側筐体に接合されている表示モニターとを有する本体部と、前記側壁の屋内側に設置される屋内側筐体と、を備え、前記屋内側筐体及び前記屋外側筐体には、前記側壁を挟持する態様で該屋内側筐体と該屋外側筐体とを吸着する固定磁石が埋設されている、デジタル・サイネージの取付け構造。
【００１９】
（３）のデジタル・サイネージの取付け構造によれば、建物の側壁にデジタル・サイネージを取付ける場合において、取付け時の作業容易性、取付け後の安定性と取付け位置等の変更の自由度を良好な水準に保持し、更には、ガラス面等を通して視聴する場合よりも良好な視認性を保持することができる。
【００２０】
（４）  前記屋内側筐体は、非接触給電装置を有し、前記屋外側筐体は、前記表示モニターに接続される受電コイルを有する、（３）に記載のデジタル・サイネージの取付け構造。
【００２１】
（４）のデジタル・サイネージの取付け構造によれば、（３）の取付け構造において、側壁に給電用のケーブルを貫通させることなく、建物の屋内側から、屋外側にあるデジタル・サイネージの本体部に給電することができる。これにより、（３）の発明の奏する効果を、給電のための構造部分によって阻害されることなく、より好ましい態様で享受することができる。具体的に、側壁に給電のためのケーブルを通す穴を開けることも、同ケーブルを迂回させて引き回す必要もなく、デジタル・サイネージの取付け時の作業容易性を著しく向上させることができる。
【発明の効果】
【００２２】
本発明によれば、デジタル・サイネージの店舗の側壁への取付けにおいて、取付け時の作業容易性、取付け後の安定性と取付け位置等の変更の自由度、及び、店舗外からの視認性を、何れも良好な水準に保持することができるデジタル・サイネージの取付け手段を提供することができる。
【図面の簡単な説明】
【００２３】
【図１】本発明のデジタル・サイネージの取付け構造によってデジタル・サイネージが設置されている店舗等の正面図である。
【図２】本発明のデジタル・サイネージの取付け構造の構成の説明に供する断面図である。
【図３】本発明のデジタル・サイネージの取付け構造の他の実施形態の構成の説明に供する断面図である。
【発明を実施するための形態】
【００２４】
以下、本発明を実施するための最良の形態について適宜図面を参照しながら説明する。
【００２５】
＜デジタル・サイネージの取付け構造（第１の実施形態）＞
本発明の「デジタル・サイネージの取付け構造」の第１の実施形態は、「表示モニター」を備える「デジタル・サイネージ」を、店舗等の建物の「側壁」の「透明部分」の屋内側に表示面を密着させて配置する構成の取付け構造である。
【００２６】
本発明の「デジタル・サイネージの取付け構造」の「第１の実施形態」の具体例として、例えば、図１、図２に示すデジタル・サイネージの取付け構造１００を挙げることができる。デジタル・サイネージの取付け構造１００においては、店舗２（建物）の側壁２１の屋内側に、デジタル・サイネージ１が、表示モニター１１の表示面を屋外側に向けて設置されている。図２において側壁２１は、その全面が透明であることが想定されているが、デジタル・サイネージの取付け構造１００においては、少なくともデジタル・サイネージ１の表示モニター１１が屋外側に向かって露出する部分が透明部分であればよい。透明部分の材質は側壁２１の両面において必要な磁力の発生が担保されうる材料であればよいが、厚さ１０ｍｍ以下程度の無機ガラス又はポリカーボネート板等の有機ガラスであることが好ましい。
【００２７】
デジタル・サイネージの取付け構造１００を構成するデジタル・サイネージ１は、図２に示す通り、ガラス面等である店舗２の透明な側壁２１の屋内側に設置される本体部１０と、側壁２１の屋外側に設置される屋外側筐体１３との２つの部分の組合せによって構成される。デジタル・サイネージの取付け構造１００においては、これらの２つの部分が、側壁２１を間に挟んで、固定磁石１４の磁力により吸着されている。このようにして、デジタル・サイネージ１は、磁力によって側壁２１の所望の位置に安定的に固定されているので、取付け時にガラス等からなる側壁２１への穴あけ加工を伴う螺子止め或いはピン留め等の取付け工事は不要である。又、取付け工事が不要なデジタル・サイネージの取付け構造１００は、特に、既設の構造部分へのデジタル・サイネージの取付けに好適である。
【００２８】
デジタル・サイネージ１の本体部１０を構成する表示モニター１１は、文字・動画・静止画等で構成される「コンテンツ」を、視聴者に対して必要なタイミングで適宜表示することができる装置であれば、特定の装置に限定されない。例えば、ＬＥＤディスプレイ、ＶＦＤディスプレイ、その他各種のプロジェクタ等によって表示モニター１１を構成することができる。
【００２９】
デジタル・サイネージの取付け構造１００においては、デジタル・サイネージ１として、表示モニター１１の表示画面の対角線サイズが３０インチ〜１００インチ程度、重量２ｋｇ程度以上の中型〜大型の表示装置が好ましい取付け対象として想定されている。但し、表示モニターの画面サイズは、上記範囲に限定されるものではない。例えば、数ｃｍ四方の小さなサイズのディスプレイから、建造物の壁面に設置される数ｍ四方規模の巨大ディスプレイにまで、本発明の適用が可能である。
【００３０】
デジタル・サイネージ１の本体部１０を構成する屋内側筐体１２は、表示モニター１１を嵌合可能な形状及びサイズの開口部分を有する枠状或いは箱状の部材である。この屋内側筐体１２の一方の外縁周辺部の表面には、側壁２１を間に挟んで、屋外側筐体１３と対面するときに、相互に対向することとなる複数の位置に固定磁石１４が設置されている。
【００３１】
又、デジタル・サイネージ１の他の部分を構成する屋外側筐体１３は、屋内側筐体１２と同様、表示モニターの形状とサイズに適合する開口部分を有する枠状の部材である。この屋外側筐体１３の一方の表面の外縁周辺部にも、側壁２１を間に挟んで、屋内側筐体１２と対面するときに、相互に対向することとなる複数の位置に固定磁石１４が埋設されている。
【００３２】
そして、デジタル・サイネージの取付け構造１００においては、図２に示す通り、固定磁石１４は、その表面が、屋内側筐体１２及び屋外側筐体１３の表面と面一となるように上記各筐体に埋設されていることが好ましい。固定磁石１４をこのような態様で各筐体に設置する構造とすることにより、図２に示すように、デジタル・サイネージ１を、店舗２の側壁２１の屋内側において、表示モニター１１の表示面が側壁２１の屋内側の表面に密着させた状態で固定することができる。
【００３３】
本体部１０を構成する屋内側筐体１２と、屋外側筐体１３と、を吸着させる複数の固定磁石１４は、永久磁石であってもよいし、例えば、電源１６から供給される電気によって磁力を発生させる電磁石であってもよい。例えば、数ｃｍ程度のサイズで１０ｋｇｆ以上の吸着力を発揮するネオジム磁石等、強力な磁力を発する永久磁石を矩形状の各筐体の外壁部分の４角に埋設することによって、重量が数１０ｋｇに達するデジタル・サイネージ１を、厚さ１０ｍｍ程度のガラス面に、十分な強度で固定することが可能である。
【００３４】
ここで、固定磁石１４としては、設置後の安定性を保持するために、極めて磁力の大きな永久磁石が用いられる。よって、デジタル・サイネージ１の取付け作業時に、本体部１０と屋外側筐体１３とを側壁２１を挟んで徐々に近づけていく際、両部材間には非常に大きな力が作用して一気に引き合うため、設置作業者が怪我をする危険性がある。この危険性を低減させるためには、必要に応じて、デジタル・サイネージの取付け構造１００において、相互に対面する固定磁石１４同士の最短距離を任意の距離以上に調整することができる距離調整機構を備えさせることが好ましい。例えば、屋内側筐体１２及び屋外側筐体１３に埋設する固定磁石１４を、ネジ状の磁石として各筐体に捩じ込む構造とし、必要に応じてこのネジ状の磁石の回転により、固定磁石１４の露出面を各筐体の表面よりも更に内部に落とすことにより磁石同士の最小限の近接距離を任意の距離以上に調整することができる。この距離調整機構の構成は、上記形態に限定されず、他の様々な構成を取り得る。例えばモータ等の駆動部を用いて固定磁石５０を任意に移動させることができる構造としてもよい。
【００３５】
固定磁石１４を電力の供給により磁力を発生させる電磁石とすることもできる。この場合は、安全性を高めるために、全ての固定磁石１４を電磁石とはせず、一部の固定磁石１４については、補助的な磁石として永久磁石としておくことが好ましい。
【００３６】
尚、屋内側筐体１２及び屋外側筐体１３（以下、「各筐体」とも言う）の材料としては、例えばカーボンが用いられ、これによりデジタル・サイネージ１の強度を維持したまま軽量化することができる。又、「各筐体」のカーボンは空洞二重化されており、万一の落下に備え、クッション性を向上させている構造とすることがより好ましい。
【００３７】
又、デジタル・サイネージの取付け構造１００においては、図２に示す通り、電源１６から給電ケーブル１５を通じて本体部１０に必要な電気を供給することができる。
【００３８】
＜デジタル・サイネージの取付け構造（第２の実施形態）＞
本発明の「デジタル・サイネージの取付け構造」の第２の実施形態は、「表示モニター」を備える「デジタル・サイネージ」を、店舗等の建物の「側壁」の屋外側に配置する構成の取付け構造である。
【００３９】
本発明の「デジタル・サイネージの取付け構造」の「第２の実施形態」の具体例として、例えば、図３に示すデジタル・サイネージの取付け構造１０１を挙げることができる。デジタル・サイネージの取付け構造１０１においては、店舗２（建物）の側壁２１の屋外側に、デジタル・サイネージ１が、表示モニター１１の表示面を屋外側に向けて設置されている。図３において側壁２１は、その全面が透明であることが想定されているが、デジタル・サイネージの取付け構造１０１においては、デジタル・サイネージ１を設置する部分が透明であることは必須ではない。設置部分の材質は側壁２１の両面において必要な磁力の発生が担保されうる材料であればよいが、例えば、厚さ１０ｍｍ以下程度の有色又は無色の無機ガラス、又は、有色又は無色のポリカーボネート板等の有機ガラスであることが好ましい。
【００４０】
デジタル・サイネージの取付け構造１０１を構成するデジタル・サイネージ１は、図３に示す通り、ガラス面等である店舗２の側壁２１の屋外側に設置される本体部１０と、側壁２１の屋内側に設置される屋内側筐体１２Ａとの２つの部分の組合せによって構成される。デジタル・サイネージの取付け構造１０１においては、これらの２つの部分が、側壁２１を間に挟んで、固定磁石１４の磁力により吸着されている。このようにして、デジタル・サイネージ１は、磁力によって側壁２１の所望の位置に安定的に固定されているので、取付け時にガラス等からなる側壁２１への穴あけ加工を伴う螺子止め或いはピン留め等の取付け工事は不要である。又、取付け工事が不要なデジタル・サイネージの取付け構造１０１は、特に、既設の構造部分へのデジタル・サイネージの取付けに好適である。
【００４１】
デジタル・サイネージの取付け構造１０１において、デジタル・サイネージ１の本体部１０を構成する表示モニター１１は、デジタル・サイネージの取付け構造１００（第１の実施形態）において用いれられるものと、種類、サイズ、重量等について、同様のものを用いることができる。
【００４２】
デジタル・サイネージの取付け構造１０１において、デジタル・サイネージ１の本体部１０を構成する屋外側筐体１３Ａは、表示モニター１１を嵌合可能な形状及びサイズの開口部分を有する枠状或いは箱状の部材である。この屋外側筐体１３Ａの背面側には、側壁２１を間に挟んで、屋内側筐体１２Ａと対面するときに、相互に対向することとなる複数の任意の位置に固定磁石１４が設置されている。
【００４３】
又、デジタル・サイネージの取付け構造１０１において、デジタル・サイネージ１の他の部分を構成する屋内側筐体１２Ａは、屋外側筐体１３Ａと同様、側壁２１を間に挟んで、屋外側筐体１３Ａと対面するときに、相互に対向することとなる複数の位置に固定磁石１４が埋設されている。
【００４４】
デジタル・サイネージの取付け構造１０１において、屋内側筐体１２Ａと、屋外側筐体１３と、を吸着させる複数の固定磁石１４は、デジタル・サイネージの取付け構造１００（第１の実施形態）と同様、各種の磁石を用いることができる。磁石の設置態様についても上記同様とすることができる。
【００４５】
デジタル・サイネージの取付け構造１０１における、尚、「各筐体」の材料、構成等は、デジタル・サイネージの取付け構造１００（第１の実施形態）と同様である。
【００４６】
ここで、デジタル・サイネージの取付け構造１０１においては、屋内側筐体１２Ａに、非接触給電装置（図示せず）を備えさせ、且つ、屋外側筐体１３Ａには、表示モニター１１に接続される受電コイル（図示せず）を備えさせる構造とすることが好ましい。これにより、デジタル・サイネージの取付け構造１０１においては、図３に示す通り、電源１６から給電ケーブル１５を通じて供給される電気を、屋内側筐体１２Ａから本体部１０に供給することができる。尚、上記の受電コイルは、非接触給電装置の給電コイル２２から電力を受電し、受電した電力を表示モニター１１に供給する。非接触給電装置は、公知の技術であり、例えば、給電コイル、固定磁石としての固定コイル、制御回路等を含んで構成されるが、その内部構成は任意に設計することできる。 
【符号の説明】
【００４７】
１                        デジタル・サイネージ
１０                      本体部
１１                      表示モニター
１２、１２Ａ              屋内側筐体
１３、１３Ｂ              屋外側筐体
１４                      固定磁石
１５                      給電ケーブル
１６                      電源
２                        店舗
２１                      側壁
１００                    デジタル・サイネージの取付け構造（第１の実施形態）
１０１                    デジタル・サイネージの取付け構造（第２の実施形態）
【要約】
【課題】デジタル・サイネージの店舗の側壁への取付けにおいて、取付け時の作業容易性、取付け後の安定性と取付け位置等の変更の自由度、及び、店舗外からの視認性を、何れも良好な水準に保持すること。
【解決手段】建物の側壁２１の側壁の屋内側に設置される屋内側筐体１２と、屋内側筐体１２に接合されている表示モニター１１とを有する本体部１０と、側壁２１の屋外側に設置される屋外側筐体１３と、を備え、屋内側筐体１２及び屋外側筐体１３には、側壁２１を挟持する態様で屋内側筐体１２と屋外側筐体１３とを吸着する固定磁石１４が設置されている、デジタル・サイネージの取付け構造１００とする。
【選択図】図２【図１】
0006644308.tif 000002
【図２】
0006644308.tif 000003
【図３】
0006644308.tif 000004